(57)【要約】【課題】通話サービスに影響を与えることなく新旧ＩＰ電話交換機の切り替えを行う。【解決手段】既存の電話交換網（ＰＳＴＮ）１と接続されるＩＰ電話システムの交換機を旧ＩＰ電話交換機２０から新ＩＰ電話交換機３０に切り替えるとき、交換機切替中継装置１７をＩＰ網に接続し、既存の電話交換網１のトランスレータの更新が完了するまでの間（切り替え移行期間中）は、すべての加入者ゲートウェイからの登録信号及び発信呼制御信号を、交換機切替中継装置１７を経由して新旧２つのＩＰ電話交換機２０、３０に中継転送すると共に、ＰＳＴＮ１からの着信時には新旧２つののＩＰ電話交換機２０、３０から送信される着信呼制御信号を加入者ゲートウェイに中継転送する。【選択図】図１
2010081150.tif 000002
【特許請求の範囲】
【請求項１】
ＩＰ網を介して複数の加入者ゲートウェイに対して通話サービスを提供するＩＰ電話交換機が、既存の電話交換網と接続されるＩＰ電話システムにおいて、
前記ＩＰ電話交換機が、旧ＩＰ電話交換機から新ＩＰ電話交換機に切り替えられるときに、前記ＩＰ網に接続されるものであって、
前記既存の電話交換網が有するトランスレータの更新が開始されてから完了するまでの期間中は、
前記加入者ゲートウェイから送信される登録信号を受信して前記新旧２つのＩＰ電話交換機に共に中継転送し、
前記加入者ゲートウェイから送信される発信呼制御信号を前記旧ＩＰ電話交換機または新ＩＰ電話交換機のいずれかに中継転送し、
前記新旧２つＩＰ電話交換機から送信される前記既存の電話交換網からの着信呼制御信号を、着信先の前記加入者ゲートウェイに中継転送する、
交換機切替中継装置を備えることを特徴とするＩＰ電話システム。
【請求項２】
前記交換機切替中継装置は、
前記トランスレータの更新完了後に、自局に接続されたすべての前記加入者ゲートウェイに設定される接続先のＩＰ電話交換機アドレスを、前記新ＩＰ電話交換機のアドレスに変更する、
ことを特徴とする請求項１に記載のＩＰ電話システム。
【請求項３】
前記交換機切替中継装置は、
前記加入者ゲートウェイから送信される前記登録信号及び前記発信呼制御信号を前記新旧ＩＰ電話交換機に転送するにあたり、前記登録信号及び前記発信呼制御信号の送信元を自局のＩＰアドレスに置換する、
ことを特徴とする請求項１に記載のＩＰ電話システム。
【請求項４】
ＩＰ網を介して複数の加入者ゲートウェイに対して通話サービスを提供するＩＰ電話交換機が、既存の電話交換網と接続されるＩＰ電話システムにおけるＩＰ電話交換機の切り替え方法であって、
前記ＩＰ電話交換機が、旧ＩＰ電話交換機から新ＩＰ電話交換機に切り替えられるときに、
前記ＩＰ網に前記新ＩＰ電話交換機及び交換機切替中継装置を接続して、すべての前記加入者ゲートウェイに設定される接続先情報を、前記旧ＩＰ電話交換機から前記交換機切替中継装置に変更する第１のステップと、
前記接続先情報の変更が完了した後に、前記加入者ゲートウェイから送信される発信呼制御信号の転送先を前記旧ＩＰ電話交換機から前記新ＩＰ電話交換機に変更する第２のステップと、
前記既存の電話交換網が有するトランスレータの更新が完了した後に、すべての前記加入者ゲートウェイに設定される前記接続先情報を前記交換機切替中継装置から前記新ＩＰ電話交換機に変更する第３のステップと、
を有することを特徴とするＩＰ電話交換機の切り替え方法。
【請求項５】
ＩＰ網を介して複数の加入者ゲートウェイに対して通話サービスを提供するＩＰ電話交換機が、既存の電話交換網と接続されるＩＰ電話システムにおいて、前記ＩＰ電話交換機を、旧ＩＰ電話交換機から新ＩＰ電話交換機に切り替えられるときに、既存の電話交換網が有するトランスレータの更新が開始されてから完了するまでの間、前記ＩＰ網に接続されるものであって、
前記加入者ゲートウェイからの登録信号、もしくは、前記加入者ゲートウェイ及び前記既存の電話交換網からの発信及び着信呼制御信号を中継転送するために転送先を変更する転送先変更処理部と、
前記加入者ゲートウェイから送信される前記登録信号を受信して前記新旧２つのＩＰ電話交換機に共に転送する登録信号中継部と、
前記加入者ゲートウェイから送信される前記発信呼制御信号を前記新ＩＰ電話交換機に中継転送すると共に、前記新旧２つＩＰ電話交換機から送信される前記既存の電話交換網からの着信呼制御信号を、着信先の前記加入者ゲートウェイに中継転送する、呼制御信号中継部と、
前記登録信号中継部、及び前記呼制御信号中継部が前記登録信号、並びに、前記発信及び着信呼制御信号を中継転送する際の信号処理を行う信号処理部と、
を備えたことを特徴とする交換機切替中継装置。
【発明の詳細な説明】
【技術分野】
【０００１】
本発明は、ＩＰ（Internet Protocol）網を介して既存の電話交換網と呼接続処理を行う、ＩＰ電話システムにおける交換機の切り替え方法、並びに交換機切替中継装置に関する。
【背景技術】
【０００２】
ＩＰ電話が普及し、ＩＰ網を介してＰＳＴＮ（Public Switch Telephone Network）等既存の電話交換網に接続するＩＰ電話システムが増えている。
かかるＩＰ電話システムは汎用的な機器を利用している場合も多く、また、既存の電話交換網に比較して小型で安価な構成になっている。そのため、システム更新や性能向上、加入者の収容変更等、ＩＰ電話システムにおけるＩＰ電話交換機を切り替える機会が増えている。
【０００３】
前記したＩＰ電話交換機は、加入者宅内に設置される加入者ＧＷ（gateway）を介して呼接続制御及び各種サービスの提供を行うＣＳＣＦ（Call Session Control Function）と、ＰＳＴＮと接続するためのゲートウェイ機能を提供するＭＧＣＦ（Media Gateway Control Function）と、ＳＧＷ（Signaling Gateway）と、ＭＧＣＦの制御によりメディア変換を行うＭＧＷ（Media Gateway）とを備えて構成される。
ＭＧＣＦはＳＧＷと連携し、共通線信号に対応して生成される制御信号に基づいてＭＧＷを制御し、ＰＳＴＮとの間のゲートウェイとしての役割を果たす。ＭＧＷは、ＰＳＴＮにＰＯＩ（Point Of Interface）で接続され、ＰＳＴＮの通話回線を終端してＩＰ網との間の音声等のメディア変換を行う。ＳＧＷは、ＰＳＴＮにＳ−ＰＯＩ（Signaling Point Of Interface）で接続して共通線信号を終端し、ＩＰ網を介してＭＧＣＦとの間で制御信号を送受信する。
【０００４】
従来のＩＰ電話システムにおける交換機の切り替え方法について、図１９に示すシステム構成図を参照しながら簡単に説明する。
図１９のシステム構成図に示されるように、切り替え前の旧ＩＰ電話交換機２０は、ＣＳＣＦ７、ＭＧＣＦ６、ＳＧＷ５、ＭＧＷ８により構成され、いずれもＩＰ−ＮＷ（ＩＰ  Network）２に接続されている。また、ＣＳＣＦ７と、ＭＧＣＦ６は、ＳＧＷ５及びＭＧＷ８を介してＰＳＴＮ１に接続されている。尚、旧ＩＰ電話交換機２０に収容される加入者ＧＷは、ＩＰ−ＮＷ４を介して、加入者ＧＷ９、加入者ＧＷ１０、加入者ＧＷ１１のように接続されているものとする。
【０００５】
前記した旧ＩＰ電話交換機２０から新ＩＰ電話交換機３０へ切り替えるにあたり、ＩＰ電話事業者が新ＩＰ電話交換機３０を構成する、新ＣＳＣＦ１５、新ＭＧＣＦ１４、新ＳＧＷ１３、新ＭＧＷ１６をＰＳＴＮ１、及びＩＰ網（ＩＰ−ＮＷ３）に接続したとする。
このとき、ＩＰ電話事業者は、新ＩＰ電話交換機３０とＰＳＴＮ１との相互接続を確認し、旧ＩＰ電話交換機２０に収容されているすべての加入者ＧＷ９〜１１の登録情報を新ＩＰ電話交換機３０の新ＣＳＣＦ１５に登録したうえで、すべての加入者ＧＷ９〜１１に設定されている接続先情報（ＣＳＣＦアドレス情報）をＣＳＣＦ７から新ＣＳＣＦ１５に変更している（例えば、特許文献１参照）。
【特許文献１】特開２００８−２０５６０８号公報（段落「００１７」〜「００１８」、図１）
【発明の開示】
【発明が解決しようとする課題】
【０００６】
前記した特許文献１に開示された技術によれば、ＩＰ電話事業者が加入者ＧＷ９〜１１に登録されているＣＳＣＦアドレス情報を変更するにあたり、旧ＩＰ電話交換機２０が既存の電話交換網（ＰＳＴＮ１）に接続するＰＯＩの数が複数に及ぶ場合、同数のＰＯＩを新ＩＰ電話交換機３０に増設し、ＰＳＴＮ１との相互接続を確認したうえで、前記した切り替えを実施する。
一方、ＰＳＴＮ事業者は、着信先の電話番号からその電話番号を収容するＩＰ電話交換機が接続されているＰＯＩを検索するために、各ＩＰ電話交換機が収容している電話番号帯を識別する対地電番と、各ＩＰ電話交換機及びＰＯＩを識別する着信局番号（ＤＰＣ：Destination Point Code）とを対応付けるためのテーブルである「トランスレータ」を利用する（詳細は後記）。
ＩＰ電話交換機の切り替えの際には、接続先のＰＯＩの変更に伴い、トランスレータの更新が必要となるが、このトランスレータはＰＳＴＮ１を構成する各交換機内に分散設置されているため、ＰＳＴＮ事業者が、同時にすべてのトランスレータを更新することは極めて困難である。
【０００７】
また、旧ＩＰ電話交換機２０に収容されているすべての加入者ＧＷの接続先情報を新ＩＰ電話交換機３０に切り替えるまでにも非常に多くの時間を要する場合があり、ＰＳＴＮ１側のトランスレータと加入者ＧＷの接続先情報との整合性が取れずに、ＰＳＴＮ１から加入者ＧＷへの着信ができない状態が発生していた。
【０００８】
例えば、図１９において、加入者ＧＷ９〜１１の接続先情報がすでに新ＩＰ電話交換機３０に切り替えられ、旧ＩＰ電話交換機２０からは登録情報が削除された後に、ＰＳＴＮ１から加入者ＧＷ９〜１１への着信の際に参照されたトランスレータがまだ旧ＩＰ電話交換機２０に設定されていた場合には、ＰＳＴＮ１から旧ＩＰ電話交換機２０に着信呼制御信号が転送されるが、旧ＩＰ電話交換機２０にはその加入者ＧＷ９〜１１が登録されていないため着信不能となってしまう。逆に、加入者ＧＷ９〜１１の接続先情報がまだ旧ＩＰ電話交換機２０のままで新ＩＰ電話交換機３０に登録情報が未登録の状態で、ＰＳＴＮ１から加入者ＧＷ９〜１１への着信の際に参照されたトランスレータがすでに新ＩＰ電話交換機３０に更新されていた場合には、ＰＳＴＮ１から新ＩＰ電話交換機３０に着信呼制御信号が転送されるが、新ＩＰ電話交換機３０にはその加入者ＧＷ９〜１１が登録されていないため着信不能となってしまう。
【０００９】
ＩＰ電話交換機が収容している加入者ＧＷが多く、数千〜数十万単位での移行が必要とされる場合、新旧ＩＰ電話交換機間での登録情報の変更タイミングと、トランスレータの更新タイミングとを計りながら同時進行で切り替えを実行することは非常に困難が伴う。
【００１０】
本発明は、前記した課題を解決するためになされたものであり、通話サービスに影響を与えることなく新旧ＩＰ電話交換機の切り替えが可能な、ＩＰ電話システム、及び同システムにおけるＩＰ電話交換機の切り替え方法、並びに交換機切替中継装置を提供することを目的とする。
【課題を解決するための手段】
【００１１】
前記した課題を解決するために、本発明のＩＰ電話システムは、複数の加入者ゲートウェイに対して通話サービスを提供するＩＰ電話交換機を、古い装置（旧ＩＰ電話交換機）から新しい装置（新ＩＰ電話交換機）に切り替えるときに、既存の電話交換網が有するトランスレータ（ＩＰ電話交換機との接続のために必要な管理情報）の更新が開始されてから完了するまでの間は、加入者ゲートウェイから送信される登録信号を受信して新旧２つのＩＰ電話交換機に中継転送し、加入者ゲートウェイから送信される発信呼制御信号を新旧いずれかのＩＰ電話交換機に中継転送し、既存の電話交換網からの着信呼制御信号は、新旧２つのいずれのＩＰ電話交換機から送信されても着信先の加入者ゲートウェイに中継転送する、交換機切替中継装置をＩＰ網に接続して通話サービスを提供するものである。
【００１２】
また、本発明のＩＰ電話交換機切り替え方法は、ＩＰ網を介して複数の加入者ゲートウェイに対して通話サービスを提供するＩＰ電話交換機が、既存の電話交換網と接続されるＩＰ電話システムにおけるＩＰ電話交換機の切り替え方法であって、前記ＩＰ電話交換機を、古い装置（旧ＩＰ電話交換機）から新しい装置（新ＩＰ電話交換機）に切り替えるときに、前記ＩＰ網に新ＩＰ電話交換機及び交換機切替中継装置を接続して、前記すべての加入者ゲートウェイに設定される接続先情報を、前記旧ＩＰ電話交換機から前記交換機切替中継装置に変更する第１のステップと、前記接続先情報の変更が完了した後に、前記加入者ゲートウェイから送信される発信呼制御信号の転送先を前記旧ＩＰ電話交換機から前記新ＩＰ電話交換機に変更する第２のステップと、前記既存の電話交換網が有するトランスレータ（ＩＰ電話交換機との接続のために必要な管理情報）の更新が完了した後に、前記すべての加入者ゲートウェイに設定される接続先情報を前記交換機切替中継装置から新ＩＰ電話交換機に変更する第３のステップと、を有するものである。
【００１３】
また、本発明の交換機切替中継装置は、ＩＰ網を介して複数の加入者ゲートウェイに対して通話サービスを提供するＩＰ電話交換機が、既存の電話交換網と接続されるＩＰ電話システムにおいて、前記ＩＰ電話交換機を、古い装置（旧ＩＰ電話交換機）から新しい装置（新ＩＰ電話交換機）に切り替えるときに、既存の電話交換網が有するトランスレータ（ＩＰ電話交換機との接続のために必要な管理情報）の更新が開始されてから完了するまでの間、前記ＩＰ網に接続されるものであって、前記加入者ゲートウェイからの登録信号、もしくは、前記加入者ゲートウェイ及び前記既存の電話交換網からの発信及び着信呼制御信号を中継転送するために転送先を変更する転送先変更処理部と、前記加入者ゲートウェイから送信される登録信号を受信して前記新旧２つのＩＰ電話交換機に共に転送する登録信号中継部と、前記加入者ゲートウェイから送信される発信呼制御信号を前記新ＩＰ電話交換機に中継転送し、既存の電話交換網からの着信呼制御信号は、前記新旧２つのいずれのＩＰ電話交換機から送信されて着信先の前記加入者ゲートウェイに中継転送する呼制御信号中継部と、
前記登録信号中継部、及び前記呼制御信号中継部が前記登録信号、並びに前記発信及び着信呼制御信号を中継転送する際の信号処理を行う信号処理部と、を備えたものである。
【発明の効果】
【００１４】
本発明によれば、通話サービスに影響を与えることなく新旧ＩＰ電話交換機の切り替えが可能な、ＩＰ電話システム、及び同システムにおけるＩＰ電話交換機の切り替え方法、並びに交換機切替中継装置を提供することができる。
【発明を実施するための最良の形態】
【００１５】
［ＩＰ電話システムの構成説明］
図１は、本発明の実施の形態に係るＩＰ電話システムの接続構成の一例を示す図である。
本発明の実施の形態に係るＩＰ電話システムは、特徴的には、図１９に示した従来のシステム構成図と比較して明確なように、旧ＩＰ電話交換機２０と、新ＩＰ電話交換機３０とが接続されるＩＰ網（それぞれ、ＩＰ−ＮＷ２、ＩＰ−ＮＷ３）と、加入者ＧＷ９〜１１が接続されるＩＰ網（ＩＰ−ＮＷ４）との間に、交換機切替中継装置１７が接続されることにある。
【００１６】
交換機切替中継装置１７は、加入者ＧＷ９〜１１に対する通話サービスの提供元を旧ＩＰ電話交換機２０から新ＩＰ電話交換機３０に切り替えるにあたり、トランスレータの更新期間中、すべての加入者ＧＷ９〜１１からの登録信号及び発信呼制御信号を、自局を経由して旧ＩＰ電話交換機２０、新ＩＰ電話交換機３０（ＣＳＣＦ７、及び新ＣＳＣＦ１５）に転送する機能を有する。この交換機切替中継装置１７の内部構成等、詳細については後記する。
【００１７】
尚、図１における旧ＩＰ電話交換機２０（あるいは新ＩＰ電話交換機３０）は、図１９に示した従来のＩＰ電話システム同様、ＣＳＣＦ７（新ＣＳＣＦ１５）と、ＭＧＣＦ６（新ＭＧＣＦ１４）と、ＭＧＷ８（新ＭＧＷ１６）と、ＳＧＷ５（新ＳＧＷ１３）とを備える。
ここでは、ＩＰ電話交換機及びＰＯＩを識別するための着信局番号として、旧ＩＰ電話交換機２０にはＤＰＣ１が、新ＩＰ電話交換機３０にはＤＰＣ２が、それぞれ割り当てられている。
【００１８】
前記した旧ＩＰ電話交換機２０、新ＩＰ電話交換機３０の各構成装置は、それぞれＩＰ−ＮＷ２、ＩＰ−ＮＷ３に接続されている。また、ＣＳＣＦ７（新ＣＳＣＦ１５）と、ＭＧＣＦ６（新ＭＧＣＦ１４）は、ＳＧＷ５（新ＳＧＷ１３）及びＭＧＷ８（新ＭＧＷ１６）を介してＰＳＴＮ１に接続され、ＭＧＷ８（新ＭＧＷ１６）は、ＰＳＴＮ１にＰＯＩで接続して電話回線を終端し、ＳＧＷ５（新ＳＧＷ１３）は、ＰＳＴＮ１にＳ−ＰＯＩで接続して共通線信号を終端している。
尚、ＣＳＣＦ７（新ＣＳＣＦ１５）が収容する加入者ゲートウェイは、ＩＰ−ＮＷ４を介して、加入者ＧＷ９、加入者ＧＷ１０、加入者ＧＷ１１のように接続される。
【００１９】
図１に示す本発明の実施の形態に係るＩＰ電話システムにおいて、図１９に示す従来のＩＰ電話システムとの差異は、ＩＰ電話交換機の切り替えに伴うトランスレータの更新期間中に、ＣＳＣＦ７、新ＣＳＣＦ１５が、自局が有する加入者ＧＷ９〜１１との間の登録信号、並びに発信及び着信呼制御信号を、交換機切替中継装置１７を介して送受信することにあり、また、新ＣＳＣＦ１５が、ＰＳＴＮ事業者によるトランスレータの更新完了の後に、加入者ＧＷ９〜１１の接続先情報を自局のアドレスに変更することにある。
尚、ＰＳＴＮ事業者が更新するトランスレータには、例えば図５（ａ）のＰＳＴＮトランスレータ５００に示すように、旧ＩＰ電話交換機２０で使用している電話番号帯を識別する対地電番と、旧ＩＰ電話交換機２０及びＰＯＩを識別する着信局番号ＤＰＣ１が設定されていることは前記したとおりである。詳細は後記する。
【００２０】
［交換機切替中継装置１７の構成説明］
図２は、本発明の実施の形態に係る交換機切替中継装置の内部構成を示すブロック図であり、図１の交換機切替中継装置１７の内部構成が示されている。
図２に示されるように、本発明の実施の形態に係る交換機切替中継装置１７は、処理装置１７０と、記憶装置１８０と、通信インタフェース装置１９０とにより構成される。
【００２１】
処理装置１７０は、例えば、ＣＰＵとプログラムメモリとにより構成され（不図示）、ＣＰＵがプログラムメモリに記録されたプログラムを逐次読み出し実行することにより、旧ＩＰ電話交換機２０から新ＩＰ電話交換機３０への切り替えに伴うトランスレータの更新期間中、すべての加入者ＧＷ９〜１１からの登録信号及び発信呼制御信号を、自局を経由して旧ＩＰ電話交換機２０、新ＩＰ電話交換機３０（ＣＳＣＦ７、及び新ＣＳＣＦ１５）に中継転送する機能を実行する。
【００２２】
このため、処理装置１７０は、図２中に実行するプログラムの構造が機能展開されて示されているように、主制御部１７１と、転送先変更処理部１７２と、登録信号中継部１７３と、呼制御信号中継部１７４と、信号処理部１７５と、を含む。
転送先変更処理部１７２は、旧ＩＰ電話交換機２０から新ＩＰ電話交換機３０への切り替えに伴うトランスレータの更新期間中、加入者ＧＷ９〜１１からの登録信号、もしくは、加入者ＧＷ９〜１１及びＰＳＴＮ１からの発信及び着信呼制御信号の転送先を変更する機能を有する。また、登録信号中継部１７３は、トランスレータの更新期間中、加入者ＧＷ９〜１１からの登録信号を中継転送し、通信インタフェース装置１９０を介して登録信号を旧ＩＰ電話交換機２０、新ＩＰ電話交換機３０へ共に転送する機能を有し、呼制御信号中継部１７４は、トランスレータの更新期間中、通信インタフェース装置１９０を介して、加入者ＧＷ９〜１１からの発信呼制御信号を旧ＩＰ電話交換機２０または新ＩＰ電話交換機３０に、ＰＳＴＮ１からの着信呼制御信号を着信先の加入者ＧＷに、それぞれ転送する機能を有する。
【００２３】
信号処理部１７５は、登録信号中継部１７３、及び呼制御信号中継部１７４が、登録信号、並びに発信及び着信呼制御信号を中継転送する際の信号処理を行う機能を有する。
尚、主制御部１７１は、処理装置１７０が、旧ＩＰ電話交換機２０から新ＩＰ電話交換機３０への切り替えに伴い加入者ＧＷ９〜１１の接続先情報を変更するにあたり、トランスレータの更新期間中、すべての加入者ＧＷ９〜１１からの登録信号及び発信呼制御信号を、自局を経由して旧ＩＰ電話交換機２０、及び新ＩＰ電話交換機３０（ＣＳＣＦ７、及び新ＣＳＣＦ１５）に中継転送する機能を実行するために、転送先変更処理部１７２、登録信号中継部１７３、呼制御信号中継部１７４、信号処理部１７５のそれぞれのシーケンス制御を行う。
【００２４】
記憶装置１８０には、処理装置１７０により参照され、加入者登録情報がリストされた登録情報テーブル４００が記憶される。データ構造等、詳細は後記する。
通信インタフェース装置１９０は、ＩＰ−ＮＷ２、ＩＰ−ＮＷ３、ＩＰ−ＮＷ４を経由してそれぞれ接続される、旧ＩＰ電話交換機２０、新ＩＰ電話交換機３０、加入者ＧＷ９〜１１と、処理装置１７０との間の通信インタフェースを司る。
【００２５】
［ＩＰ電話システムの動作説明］
図３は、本発明の実施の形態に係るＩＰ電話システムの交換機切り替え手順を示すフローチャートである。尚、図３においては、「交換機切替中継装置」を「中継装置」と、「加入者登録情報」を「登録情報」と略記している。
【００２６】
また、図４、図６、図８、図１０、図１２、図１４、図１５、図１７は、本発明の実施の形態に係るＩＰ電話システムの動作を、図１に示したシステム接続構成図の上に模式的に示した図であり、ここでは、登録信号の流れ（破線矢印表記）、発信呼制御信号の流れ（一点鎖線矢印表記）、ＰＳＴＮからの着信呼制御信号の流れ（実線矢印表記）が共に示されている。更に、図５、図７、図９、図１１、図１３、図１６、図１８は、図４、図６、図８、図１０、図１２、図１５、図１７のそれぞれにおける装置間のデータ遷移の様子を示す図であり、いずれも、ＰＳＴＮトランスレータ５００と、新旧ＩＰ電話交換機２０、３０が保持する登録情報テーブル２００、３００と、交換機切替中継装置１７が保持する登録情報テーブル４００と、加入者ＧＷ９〜１１が保持する加入者登録情報９０、１００、１１０のそれぞれを示す。
【００２７】
以下、図３〜図１８を参照しながら、図１に示した本発明の実施の形態に係るＩＰ電話システムの交換機切り替え手順、並びにシステムの動作について詳細に説明する。
図３に示すように、ＩＰ電話交換機を切り替えを行うときには、まず始めに新ＩＰ電話交換機３０と交換機切替中継装置１７とをＩＰ網に接続し、動作確認等必要な準備を行う（ステップＳ３０１、Ｓ３０２）。
図４は、新ＩＰ電話交換機３０と交換機切替中継装置１７とをＩＰ網に接続した状態を示している。
図４に示されるように、旧ＩＰ電話交換機２０（ＣＳＣＦ７，ＭＧＣＦ６，ＳＧＷ５，ＭＧＷ８）は、ＰＳＴＮ１とはＰＯＩ及びＳ−ＰＯＩで相互接続され、更に、ＩＰ−ＮＷ２とＩＰ−ＮＷ４を経由して加入者ＧＷ９〜１１に接続されている。また、新ＩＰ電話交換機３０（新ＣＳＣＦ１５、新ＭＧＣＦ１４、新ＳＧＷ１３，新ＭＧＷ１６）は、ＰＳＴＮ１とはＰＯＩ及びＳ−ＰＯＩで相互接続され、更に、ＩＰ−ＮＷ３とＩＰ−ＮＷ４を介して加入者ＧＷ９〜１１に接続されている。また、ＩＰ−ＮＷ２と、ＩＰ−ＮＷ３と、ＩＰ−ＮＷ４との間には、交換機切替中継装置１７が接続されている。
【００２８】
図４には、ＩＰ電話交換機切り替え前の、ＩＰ電話事業者とＰＳＴＮ事業者によって管理される装置間の相互接続状態と、登録信号の流れ（破線矢印表記）、発信呼制御信号の流れ（一点鎖線矢印表記）、ＰＳＴＮからの着信呼制御信号の流れ（実線矢印表記）が共に示されている。また、図５（ａ）には、図４に示す段階における、ＰＳＴＮトランスレータ５００、図５（ｂ）に、旧ＩＰ電話交換機２０が保持する登録情報テーブル２００、並びに図５（ｃ）に、加入者ＧＷ９〜１１がそれぞれ保持する加入者登録情報９０、１００、１１０のデータの一部である加入者電話番号及び接続先ＣＳＣＦアドレスが示されている。
図５（ａ）において、ＰＳＴＮトランスレータ５００には、電話番号帯１（電話番号＃１、＃２）とＤＰＣ１、電話番号帯２（電話番号＃３）とＤＰＣ１が対で設定され記憶されている。また、図５（ｃ）に示されるように、加入者ＧＷ９〜１１の加入者登録情報９０、１００、１１０の接続先ＣＳＣＦアドレスには、旧ＩＰ電話交換機２０のＣＳＣＦ７を示すＩＰアドレスが設定登録されている。
【００２９】
尚、加入者ＧＷ９〜１１の加入者登録情報９０、１００、１１０には、加入者ＧＷを特定する加入者電話番号、ＩＰアドレス、ホスト名前等の識別子を含んでおり、加入者ＧＷからの登録信号により、旧ＩＰ電話交換機２０のＣＳＣＦ７内の登録情報テーブル２００に登録される。図５（ｂ）には、旧ＩＰ電話交換機２０内の登録情報テーブル２００に登録される加入者登録情報の一部のみを示しており、加入者ＧＷ９の電話番号＃１とＩＰアドレス、加入者ＧＷ１０の電話番号＃２とＩＰアドレス、加入者ＧＷ１１の電話番号＃３とＩＰアドレスがそれぞれ対で登録されている状態を表わしている。
【００３０】
図５（ａ）（ｂ）（ｃ）に示されるように、ＩＰ電話交換機切り替え前の加入者ＧＷ９〜１１に登録されている接続先ＣＳＣＦアドレスは、ＣＳＣＦ７を指しているため、加入者ＧＷ９〜１１に対する電話サービスは、旧ＩＰ電話交換機２０（ＣＳＣＦ７）によって提供される。
すなわち、例えば、加入者ＧＷ９から発信した場合は、ＩＰ−ＮＷ４からＩＰ−ＮＷ２を経由して旧ＩＰ電話交換機２０（ＣＳＣＦ７）に発信呼制御信号が到達し、ＣＳＣＦ７で発着信処理が実行される。ＰＳＴＮ１に発信する場合は、ＣＳＣＦ７及びＭＧＣＦ６を介してＰＳＴＮ１に接続され、ＰＳＴＮ１から加入者ＧＷ９に着信する場合は、ＰＳＴＮ１から，ＭＧＣＦ６及びＣＳＣＦ７を介して加入者ＧＷ９に接続される。
【００３１】
次に、図３に示すように、ＩＰ電話事業者は、旧ＩＰ電話交換機２０に収容された加入者ＧＷ９〜１１が保持する加入者登録情報の変更作業を開始する（ステップＳ３０３）。そして交換機切替中継装置１７は、登録信号及び呼制御信号の中継転送を開始する（ステップＳ３０４）。
加入者登録情報の変更作業においては、加入者ＧＷ９〜１１の接続先ＣＳＣＦアドレスを、交換機切替中継装置１７を示すＩＰアドレスに変更する。その変更手順は、ＩＰ電話事業者によって異なる。変更は、強制的に自動変更する他に、ユーザにより手動で設定変更することが考えられる。尚、手動での設定変更の場合には、変更に時間がかかることが予想される。
【００３２】
図６には、加入者ＧＷ９〜１１の内、加入者ＧＷ９、１０の接続先情報の変更が行われた場合（図３のステップＳ３０５で“Ｎｏ”）の登録信号の流れ（破線矢印表記）と、発信呼制御信号の流れ（一点鎖線矢印表記）、が共に示され、図７（ａ）には、そのときの、ＰＳＴＮトランスレータ５００、図７（ｂ）には、新旧ＩＰ電話交換機２０、３０がそれぞれ保持する登録情報テーブル２００、３００、図７（ｃ）には、交換機切替中継装置１７が保持する登録情報テーブル４００、並びに図７（ｄ）には、加入者ＧＷ９〜１１がそれぞれ保持する加入者登録情報９０、１００、１１０のデータの遷移の様子が示されている。
【００３３】
図６、図７（ａ）（ｂ）（ｃ）（ｄ）に示されるように、ＩＰ電話事業者は、加入者ＧＷ９、１０の接続先ＣＳＣＦアドレスをＣＳＣＦ７のＩＰアドレスから交換機切替中継装置１７のＩＰアドレスに変更し、このことにより、以後の加入者ＧＷ９、１０からの登録信号及び発信呼制御信号は、交換機切替中継装置１７に送信されることになる。
交換機切替中継装置１７は、加入者ＧＷ９、１０からの登録信号を旧ＩＰ電話交換機２０（ＣＳＣＦ７）と新ＩＰ電話交換機３０（新ＣＳＣＦ１５）との両方に送信する際に、ＣＳＣＦ７及び新ＣＳＣＦ１５と、加入者ＧＷ９〜１１との間の登録情報、及び認証情報を適切に処理して中継転送する。
【００３４】
また、交換機切替中継装置１７は、加入者ＧＷ９〜１１からの登録信号をＣＳＣＦ７と新ＣＳＣＦ１５との両方に送信する際に、加入者ＧＷのＩＰアドレスを自局のＩＰアドレスに書き換えることにより、ＣＳＣＦ７及び新ＣＳＣＦ１５からの加入者ＧＷ９〜１１への着信呼制御信号が、交換機切替中継装置１７に送信されるようにする。このことにより、ＣＳＣＦ７と新ＣＳＣＦ１５の両方に加入者登録が行われると共に、加入者ＧＷ９、１０からの発信呼制御信号、及びＣＳＣＦ７と新ＣＳＣＦ１５からの着信呼制御信号が交換機切替中継装置１７を介して中継転送される。
尚、図６に示す段階（図３のステップＳ３０５“Ｎｏ”）では、加入者ＧＷ９、１０からの発信呼制御信号はＣＳＣＦ７に中継転送される。
【００３５】
図８には、すべての加入者ＧＷ９〜１１の加入者登録情報の変更が完了した後（図３のステップＳ３０５“Ｙｅｓ”）の、登録信号の流れ（破線矢印表記）と、発信呼制御信号の流れ（一点鎖線矢印表記）、が共に示されている。また、図９（ａ）には、そのときのＰＳＴＮトランスレータ５００、図９（ｂ）には、新旧ＩＰ電話交換機２０、３０がそれぞれ保持する登録情報テーブル２００、３００、図９（ｃ）には、交換機切替中継装置１７が保持する登録情報テーブル４００、図９（ｄ）には、加入者ＧＷ９〜１１がそれぞれ保持する加入者登録情報９０、１００、１１０のデータの遷移の様子が示されている。
図８に示す段階では、図９（ａ）（ｂ）（ｃ）（ｄ）に示されるように、すべての加入者ＧＷ９〜１１からの登録信号が、交換機切替中継装置１７を介して新旧ＩＰ電話交換機２０（ＣＳＣＦ７）、３０（新ＣＳＣＦ１５）に共に中継転送され、登録情報テーブル２００、３００に登録される。ただし、加入者ＧＷのＩＰアドレスは交換機切替中継装置１７のＩＰアドレスに書き換えられているため、ＣＳＣＦ７と新ＣＳＣＦ１５から加入者ＧＷ９〜１１への着信呼制御信号は、交換機切替中継装置１７を介して伝播される。この段階では、加入者ＧＷ９〜１１からの発信呼制御信号は、未だＣＳＣＦ７に転送される。
【００３６】
すべての加入者ＧＷ９〜１１の加入者登録情報の変更が完了すると（図３のステップＳ３０５“Ｙｅｓ”）、次に、交換機切替中継装置１７は、呼制御信号の転送先変更処理を実行し、加入者ＧＷ９〜１１からの発信呼制御信号の転送先を旧ＩＰ電話交換機２０（ＣＳＣＦ７）から新ＩＰ電話交換機３０（新ＣＳＣＦ１５）に切り替える（ステップＳ３０６）。続いて、ＰＳＴＮ事業者によるＰＳＴＮトランスレータ５００（図９（ａ））の更新が開始される（ステップＳ３０７）。
図１０には、ＰＳＴＮ事業者によるＰＳＴＮトランスレータ５００の更新が開始された後（ステップＳ３０８“Ｎｏ”）における、登録信号の流れ（破線矢印表記）、発信呼制御信号の流れ（一点鎖線矢印表記）、ＰＳＴＮからの着信呼制御信号の流れ（実線矢印表記）が共に示されている。また、図１１（ａ）には、そのときのＰＳＴＮトランスレータ５００、図１１（ｂ）には、新旧ＩＰ電話交換機２０、３０がそれぞれ保持する登録情報テーブル２００、３００、図１１（ｃ）には、交換機切替中継装置１７が保持する登録情報テーブル４００、図１１（ｄ）には、加入者ＧＷ９〜１１がそれぞれ保持する加入者登録情報９０、１００、１１０のデータの遷移の様子が示されている。
【００３７】
図１０に示す段階では、図１１（ａ）（ｂ）（ｃ）（ｄ）に示されるように、すべての加入者ＧＷ９〜１１からの登録信号が、交換機切替中継装置１７を介して新旧ＩＰ電話交換機２０（ＣＳＣＦ７）、３０（新ＣＳＣＦ１５）に共に中継転送され、登録情報テーブル２００、３００に登録される。また新旧両方のＩＰ電話交換機２０、３０から送信されるＰＳＴＮからの着信呼制御信号は、交換機切替中継装置１７を介して加入者ＧＷに中継転送される。この段階では、加入者ＧＷ９〜１１からの発信呼制御信号は、新ＣＳＣＦ１５に転送される。
図１０、図１１（ａ）（ｂ）（ｃ）において、ＰＳＴＮ１から加入者ＧＷ９〜１１への着信は、ＰＳＴＮトランスレータ５００が既に更新されている場合、新ＩＰ電話交換機３０から入ってくるが、ＰＳＴＮトランスレータ５００が未だ更新されていない場合、旧ＩＰ電話交換機２０から入ってくることになる。図１１（ａ）の例では、ＰＳＴＮトランスレータ５００の電話番号帯１（電話番号＃１、＃２）がＤＰＣ２に変更されているため、ＰＳＴＮ１から加入者ＧＷ９、１０への着信は、新ＩＰ電話交換機３０から入り、ＰＳＴＮトランスレータ５００の電話番号帯２（電話番号＃３）は未だＤＰＣ１のままになっているため、旧ＩＰ電話交換機２０から入ってくる。
【００３８】
図１２には、ＰＳＴＮトランスレータ５００の更新が完了した後（ステップＳ３０８“Ｙｅｓ”）における、登録信号の流れ（破線矢印表記）、発信呼制御信号の流れ（一点鎖線矢印表記）、ＰＳＴＮからの着信呼制御信号の流れ（実線矢印表記）が共に示されている。また、図１３（ａ）にはそのときのＰＳＴＮトランスレータ５００、図１３（ｂ）には、新旧ＩＰ電話交換機２０、３０がそれぞれ保持する登録情報テーブル２００、３００、図１３（ｃ）には、交換機切替中継装置１７が保持する登録情報テーブル４００、並びに図１３（ｄ）には、加入者ＧＷ９〜１１がそれぞれ保持する加入者登録情報９０、１００、１１０のデータの遷移の様子が示されている。図１２は、ＰＳＴＮ事業者によるＰＳＴＮトランスレータ５００の更新作業が完了し、ＰＳＴＮ１からの着信はすべて新ＩＰ電話交換機３０から入ってくる状態を表わしている。
【００３９】
図１３（ａ）に示されるように、ＰＳＴＮトランスレータ５００は、すべての電話番号帯がＤＰＣ１からＤＰＣ２に変更されている。
旧ＩＰ電話交換機２０から新ＩＰ電話交換機３０への交換機切り替えが完了し、このことにより、旧ＩＰ電話交換機２０を、ＩＰ−ＮＷ４、及び交換機切替中継装置１７から切り離すことができる。
【００４０】
そこで、ＩＰ電話事業者は旧ＩＰ電話交換機２０をＩＰ電話システムから切り離した後（図３のステップＳ３０９）、すべての加入者ＧＷ９〜１１の加入者登録情報９０、１００、１１０の変更を開始し、加入者登録情報９０、１００、１１０内の接続先ＣＳＣＦアドレスを、交換機切替中継装置１７のＩＰアドレスから新ＩＰ電話交換機３０（新ＣＳＣＦ１５）のＩＰアドレスに設定変更する（ステップＳ３１０）。
図１４には、旧ＩＰ電話交換機２０を切り離した後の装置間の相互接続状態が示されている。
【００４１】
図１５には、加入者ＧＷ９〜１１の接続先ＣＳＣＦアドレス変更時における、登録信号の流れ（破線矢印表記）、発信呼制御信号の流れ（一点鎖線矢印表記）、が共に示されている。また、図１６（ａ）には、ＰＳＴＮトランスレータ５００、図１６（ｂ）には、新ＩＰ電話交換機３０が保持する登録情報テーブル３００、図１６（ｃ）には、交換機切替中継装置１７が保持する登録情報テーブル４００、並びに図１６（ｄ）には、加入者ＧＷ９〜１１がそれぞれ保持する加入者登録情報９０、１００、１１０のデータの遷移の様子が示されている。
図１５、及び図１６（ａ）（ｂ）（ｃ）（ｄ）は、ＩＰ電話事業者が、加入者ＧＷ９、１０の接続先ＣＳＣＦアドレスの変更を終了し、加入者ＧＷ１１の接続先ＣＳＣＦアドレスの変更はまだ終わっていない状態を表わしている。
【００４２】
そして、すべての加入者ＧＷ９〜１１の加入者登録情報の変更が完了したら（図３のステップＳ３１１“Ｙｅｓ”）、ＩＰ電話事業者により交換機切替中継装置１７の撤去が行われる（ステップＳ３１２）。
図１７に、すべての加入者ＧＷ９〜１１の加入者登録情報９０〜１１０に設定されている接続先ＣＳＣＦアドレスが、新ＣＳＣＦ１５を示すアドレス情報に変更され、ＩＰ電話交換機の切り替えが完了したときの、登録信号の流れ（破線矢印表記）、発信呼制御信号の流れ（一点鎖線矢印表記）、ＰＳＴＮからの着信呼制御信号の流れ（実線矢印表記）が共に示されている。また、図１８（ａ）には、そのときのＰＳＴＮトランスレータ５００、図１８（ｂ）には、新ＩＰ電話交換機３０が保持する登録情報テーブル３００、並びに図１８（ｃ）には、加入者ＧＷ９〜１１がそれぞれ保持する加入者登録情報９０、１００、１１０のデータの遷移の様子が示されている。
図１８（ｃ）に示されるように、加入者ＧＷ９〜１１がそれぞれ保持する加入者登録情報９０、１００、１１０は、いずれも新ＩＰ電話交換機３０（新ＣＳＣＦ１５）を示すＩＰアドレス情報に変更されている。図１７における装置間の相互接続状態は、交換機切替中継装置１７の撤去後、加入者ＧＷ９〜１１、及び新ＣＳＣＦ１５からの登録信号、並びに発信及び着信呼制御信号は、すべて両者間で直接やり取りされている状態を表わしている。
【００４３】
したがって、図１７に示すように、交換機切替中継装置１７の撤去後に、加入者ＧＷ９〜１１とＰＳＴＮ１間で発着信が発生した場合、その発着信処理は、すべて新ＩＰ電話交換機３０によって行われることになり、以上にてＩＰ電話交換機の切り替え作業が完了する。
【００４４】
前記した本発明の実施の形態に係るＩＰ電話システムによれば、交換機切替中継装置１７を接続することにより、トランスレータの更新が完了するまでの間においても、この交換機切替中継装置１７を介して登録信号並びに呼制御信号をやり取りすることで、トランスレータと、新旧のＩＰ電話交換機２０、３０のいずれかに登録されている特定の電話番号が割り振られた加入者ＧＷ９〜１１の登録情報とが不一致になる段階は発生しないため、着信ができなくなる状況は回避される。したがって、通話サービスに影響を与えることなく新旧のＩＰ電話交換機の切り替えが可能なＩＰ電話システムを提供することができる。
【００４５】
尚、図２に示す交換機切替中継装置１７の処理装置１７０が有する機能は、すべてをソフトウェアによって実現しても、あるいはその少なくとも一部をハードウェアで実現してもよい。
【００４６】
例えば、既存の電話交換網（ＰＳＴＮ１）が有するトランスレータの更新期間中、加入者ゲートウェイ（加入者ＧＷ９〜１１）からの登録信号、もしくは、加入者ゲートウェイ及び既存の電話交換網からの発信及び着信呼制御信号の転送先を変更する転送先変更処理部１７２と、トランスレータの更新が完了するまでの間、加入者ゲートウェイからの登録信号を中継転送し、登録信号を旧ＩＰ電話交換機２０、及び新ＩＰ電話交換機３０に共に転送する登録信号中継部１７３と、トランスレータの更新が完了するまでの間、加入者ゲートウェイ及び既存の電話交換網（ＰＳＴＮ１）からの発信及び着信呼制御信号を中継転送し、発信呼制御信号を旧ＩＰ電話交換機２０もしくは新ＩＰ電話交換機３０に転送する呼制御信号中継部１７４と、登録信号中継部１７３及び呼制御信号中継部１７４が、登録信号及び呼制御信号を中継転送する際の信号処理を行う信号処理部１７５と、におけるデータ処理は、１または複数のプログラムによりコンピュータ上で実現してもよく、また、その少なくとも一部をハードウェアで実現してもよい。
【００４７】
［ＩＰ電話システムにおける交換機切り替え方法の説明］
また、本発明の実施の形態に係るＩＰ電話交換機の切り替え方法は、例えば、図１において、ＩＰ電話交換機を、古い装置（旧ＩＰ電話交換機２０）から新しい装置（新ＩＰ電話交換機３０）に切り替えるときに、例えば、図３において、ＩＰ網（ＩＰ−ＮＷ３）に新ＩＰ電話交換機３０及び交換機切替中継装置１７を接続して、すべての加入者ゲートウェイに設定される接続先情報を前記旧ＩＰ電話交換機２０から前記交換機切替中継装置１７に変更する第１のステップ（ステップＳ３０３〜Ｓ３０５）と、前記接続先情報の変更が完了した後に、前記加入者ゲートウェイから送信される発信呼制御信号の転送先を前記旧ＩＰ電話交換機２０から前記新ＩＰ電話交換機３０に変更する第２のステップ（ステップＳ３０６）と、前記既存の電話交換網が有するトランスレータ（ＩＰ電話交換機との接続のために必要な管理情報）の更新が完了した後に、前記すべての加入者ゲートウェイに設定される接続先情報を前記交換機切替中継装置１７から新ＩＰ電話交換機３０に変更する第３のステップ（ステップＳ３１０〜Ｓ３１１）と、を有するものである。
【００４８】
前記した本発明の実施の形態に係るＩＰ電話交換機の切り替え方法によれば、新旧のＩＰ電話交換機２０、３０に交換機切替中継装置１７を付加し、旧ＩＰ電話交換機２０が収容するすべての加入者ゲートウェイに設定される接続先情報を、交換機切替中継装置１７を示す情報に変更し、トランスレータの更新期間中においては、すべての加入者ゲートウェイからの登録信号及び発信呼制御信号を交換機切替中継装置１７経由で新旧ＩＰ電話交換機２０、３０に転送し、トランスレータの更新完了後に、すべての加入者ゲートウェイの接続先情報を新ＩＰ電話交換機３０を示す情報に変更することにより、トランスレータの更新期間中においても交換機切替中継装置１７によって新旧のＩＰ電話交換機２０、３０と各加入者ゲートウェイとの間の登録信号及び呼制御信号が適切に中継転送されるので、着信ができなくなる加入者が発生する事態は回避される。したがって、通話サービスに影響を与えることなく新旧のＩＰ電話交換機の切り替えが可能になる。
【図面の簡単な説明】
【００４９】
【図１】本発明の実施の形態に係るＩＰ電話システムの接続構成の一例を示す図である。
【図２】本発明の実施の形態に係る交換機切替中継装置の内部構成を示すブロック図である。
【図３】本発明の実施の形態に係るＩＰ電話システムの交換機切り替え手順を示すフローチャートである。
【図４】本発明の実施の形態に係るＩＰ電話システムの切り替え開始時の動作を、システム接続構成図の上に模式的に示した図である。
【図５】本発明の実施の形態に係るＩＰ電話システムの切り替え開始時における装置間のデータの遷移の様子を示した図である。
【図６】本発明の実施の形態に係るＩＰ電話システムの登録情報変更開始時の動作を、システム接続構成図の上に模式的に示した図である。
【図７】本発明の実施の形態に係るＩＰ電話システムの登録情報変更開始時における装置間のデータの遷移の様子を示した図である。
【図８】本発明の実施の形態に係るＩＰ電話システムの登録情報変更完了時の動作を、システム接続構成図の上に模式的に示した図である。
【図９】本発明の実施の形態に係るＩＰ電話システムの登録情報変更完了時における装置間のデータの遷移の様子を示した図である。
【図１０】本発明の実施の形態に係るＩＰ電話システムの呼制御信号の転送先変更時の動作を、システム接続構成図の上に模式的に示した図である。
【図１１】本発明の実施の形態に係るＩＰ電話システムの呼制御信号の転送先変更時における装置間のデータの遷移の様子を示した図である。
【図１２】本発明の実施の形態に係るＩＰ電話システムのトランスレータ更新完了時の動作を、システム接続構成図の上に模式的に示した図である。
【図１３】本発明の実施の形態に係るＩＰ電話システムのトランスレータ更新完了時における装置間のデータの遷移の様子を示した図である。
【図１４】本発明の実施の形態に係るＩＰ電話システムの旧ＩＰ電話交換機切離し時の動作を、システム接続構成図の上に模式的に示した図である。
【図１５】本発明の実施の形態に係るＩＰ電話システムの加入者ゲートウェイの登録情報変更時の動作を、システム接続構成図の上に模式的に示した図である。
【図１６】本発明の実施の形態に係るＩＰ電話システムの加入者ゲートウェイの登録情報変更時における装置間のデータの遷移の様子を示した図である。
【図１７】本発明の実施の形態に係るＩＰ電話システムの切り替え完了時の動作を、システム接続構成図の上に模式的に示した図である。
【図１８】本発明の実施の形態に係るＩＰ電話システムの切り替え完了時における装置間のデータの遷移の様子を示した図である
【図１９】交換機切り替えに伴う従来のＩＰ電話システムの接続構成の一例を示した図である。
【符号の説明】
【００５０】
１      既存の電話交換網（ＰＳＴＮ）
２，３，４  ＩＰ網（ＩＰ−ＮＷ）
５      ＳＧＷ
６      ＭＧＣＦ
７      ＣＳＣＦ
８      ＭＧＷ
９，１０，１１  加入者ＧＷ
１３    新ＳＧＷ
１４    新ＭＧＣＦ
１５    新ＣＳＣＦ
１６    新ＭＧＷ
１７    交換機切替中継装置
２０    旧ＩＰ電話交換機
３０    新ＩＰ電話交換機
９０，１００，１１０  加入者登録情報
２００，３００，４００  登録情報テーブル
１７０  処理装置
１７１  主制御部
１７２  転送先変更処理部
１７３  登録信号中継部
１７４  呼制御信号中継部
１７５  信号処理部
１８０  記憶装置
１９０  通信インタフェース装置
５００  ＰＳＴＮトランスレータ
【図１】
2010081150.tif 000003
【図２】
2010081150.tif 000004
【図３】
2010081150.tif 000005
【図４】
2010081150.tif 000006
【図５】
2010081150.tif 000007
【図６】
2010081150.tif 000008
【図７】
2010081150.tif 000009
【図８】
2010081150.tif 000010
【図９】
2010081150.tif 000011
【図１０】
2010081150.tif 000012
【図１１】
2010081150.tif 000013
【図１２】
2010081150.tif 000014
【図１３】
2010081150.tif 000015
【図１４】
2010081150.tif 000016
【図１５】
2010081150.tif 000017
【図１６】
2010081150.tif 000018
【図１７】
2010081150.tif 000019
【図１８】
2010081150.tif 000020
【図１９】
2010081150.tif 000021